(57)【要約】【課題】本発明は、コンパクトな水中での使用と耐圧の機能を有するカメラ本体を水中で使用する場合、耐衝撃性を向上し、例え水中でカメラ本体が手元から離れても水底への脱落を防止でき、紛失を無くし、カメラ本体を所望の深度に設定できる調節が可能でその上カメラ本体の使用中でも手元、身体にまとわりつかない機能を確保するカメラフロートジャケットを提供するものである。【解決手段】本発明は、カメラ本体を覆うジャケット自体に耐衝撃性の高い素材を採用し、この素材でなるフロートジャケットを内外で二重構造にして浮き部を形成し、此の浮き部に気体を調節できる構造で充填し、水中でカメラ本体の深度を調節できるようにしたものである。【選択図】図４
2009229835.tif 000002
【特許請求の範囲】
【請求項１】
カメラ本体の外側をカメラ本体のレンズ部及び発光部箇所その他必要な箇所を覗かせて形成し、内部に気体を充填できる二重構造にフロートジャケットを構成してなることを特徴としたカメラフロートジャケット。
【請求項２】
カメラ本体の外側をカメラ本体のレンズ部及び発光部箇所その他必要な箇所を覗かせて形成し、内部に気体を充填できる二重構造に前記気体を注入する注入口を形成したフロートジャケットを構成してなることを特徴としたカメラフロートジャケット。
【発明の詳細な説明】
【技術分野】
【０００１】
本発明は、主に水中用に用いるカメラの外側を覆うカメラフロートジャケットに関するものである。
【背景技術】
【０００２】
従来、耐圧、耐水性の機能を有し、水中で扱うコンパクトなデジタルカメラは多くは存在しなかったが、最近、この種のデジタルカメラはダイバー或いは一般の水中撮影に多く販売され利用もされてきている。このデジタルカメラを水中で用いる場合、十分にカメラ本体を把持できる構造が考えられるが、しばしば水中で手元から脱落して水底に落とし拾い上げられなかったり、水中で紛失することもしばしば生じている。そこで、カメラ本体をカバーするジャケットを用いて、これに紐を付けて手首に巻くことも考えられる。
【０００３】
特許文献１では、カメラジャケットを採用した図５の例があるが、これは横長形状のカメラ１４を収納した状態から迅速に取り出すことができるカメラジャケット１２である。この場合のカメラジャケット１２はカメラ１４自体を落としたり、ぶつけたりしたりしてカメラ１４自体が傷になったり或いはレンズ部分その他の機能が損傷するのを防止するものである。
【０００４】
従って、カメラ１４自体が防水で耐水圧機能を有したコンパクトなカメラであることを想定していない。詰まり図５のカメラ１４は水中で用いられるカメラの場合、カメラジャケット１２は水中でカメラ１４とともに使用されることを考慮していないものである。
【特許文献１】特開２００４−２３３５０３号公報（図５）
【発明の開示】
【発明が解決しようとする課題】
【０００５】
本発明が解決しようとする問題点は、コンパクトな水中での使用と耐圧の機能を有するカメラ本体を水中で使用する場合、耐衝撃性を向上し、例え水中でカメラ本体が手元から離れても水底への脱落を防止でき、紛失を無くし、しかもカメラ本体の使用中でも手元、身体にまとわりつかないフロートの調節ができ、又カメラ自体の軽重にあわせた浮力調整ができる機能を確保するカメラフロートジャケットにある点である。
【課題を解決するための手段】
【０００６】
本発明のカメラフロートジャケットはカメラ本体を覆うフロートジャケット自体に耐衝撃性の高い素材を採用し、この素材でなるフロートジャケットを二重構造にして浮力を十分に得、而もカメラの軽重の浮力調節ができ、カメラ本体を紛失することが無い、特に二重構造で浮力調節ができるフロートジャケットを構成したことが特徴になっている。
【発明の効果】
【０００７】
請求項１記載の発明によれば、カメラ本体の一部を開放することでジャケットの素材量を少なくでき、二重構造にしてここに気体を充填し浮力を得ることができ、而も衝撃にも気体が緩衝して問題なく、水中でカメラ本体を手元から離しても水面に浮上するので紛失することがないカメラフロートジャケットが提供できる。
【０００８】
請求項２記載の発明によれば、カメラの種類の軽重にしたがって注入気体を調節できるので浮力が調節でき適切な深さにカメラ本体を設定できるカメラフロートジャケットが提供できる。
【発明を実施するための最良の形態】
【０００９】
本発明は、防水耐圧機能を持つカメラ本体（例えばデジタルカメラ）を水中で使用する場合、水中故に取扱いの動作が緩慢になり、また不自由を強いられあちこちにぶつけたり、手元から落下したりするのでカメラ本体のボデーに傷をつけないように、又水中での水底への落下防止、紛失など無いカメラ本体のフロートジャケットで更にカメラの種類による軽重に応じた浮力の調節ができ、従って所望の深さにカメラを設定できる目的を二重構造にして、内部の気体量を調節できる出入口を構造したものである。
【００１０】
以下に、本発明の実施例に係るカメラフロートジャケットについて図１乃至図４を参照して詳細に説明する。
【００１１】
本実施例に係るカメラのフロートジャケット２は図１のコンパクトな防水耐圧機能をもつカメラ本体１に図２及び図３のフロートジャケット２を図４に示すように覆った使用状態になる。カメラ本体１は従来のものでレンズ部３とフラッシュ等の発光部４とからなり、その他の操作ボタン機能などからなるものである。
【００１２】
前記のフロートジャケット２は前記カメラ本体１の外周を覆う一部口開した構造からなり、合成樹脂製のシリコンゴム或いはエラストマーを素材としている。これによってこのフロートジャケット２は内部に充填された気体とともに弾力性を全体的に有することになる。
【００１３】
図３は図２のＡ−Ａ線断面略図でフロートジャケット２の左側に一体的に把持部５を形成したもので、この把持部５は内部のカメラ本体１の把持に沿ってカバーされる。前記フロトジャケット２の内部は二重構造になっていて閉鎖空間を形成し、これに気体が充填され浮き部７を構成している。
【００１４】
図２の６はファスナーで、このファスナー６はフロートジャケット２の四隅の一箇所を通って形成されていて、収納したカメラ本体１をカバーする場合或いは取り出す場合にスムーズにできるようにしたものである。勿論ファスナー６は前記フロートジャケット２が二重構造であるから外側と内側とがファスナー６で此の箇所だけ一体的な構造になるようにしてある。
【００１５】
次に、カメラ本体１をフロートジャケット２でカバーする場合を図４で説明する。図４はカメラ本体１の収納状態を表し、この状態から、前記ファスナー６を矢印Ｂ方向に引き上げ開放する。
【００１６】
これによって、比較的カメラ本体１に密着してカメラ本体１を収納していたフロートジャケット２は緩んで内部のカメラ本体１を取り出しやすい状態になる。ジャケット２にカメラ本体１を収納する場合は前記と逆の操作で収納できる。
【００１７】
次にカメラ本体１を水中で使用する場合、予めカメラ本体１にフロートジャケット２を被せ、把持部５を手で握って水中で撮影を行う。この場合フロートジャケット２内部には予め気体の注入口８から気体を充填して蓋９で矢印Ｙ方向から栓をしておく。
【００１８】
水中でカメラ本体１の操作はカメラの軽重を前記蓋９より栓を抜いて前記フロートジャケット２内の気体を外部に放出して調整できる。即ちフロートジャケット２は浮力が常時働き、仮に手元からカメラ本体１を離してしまったとしても、その浮力で水中に没することは無く、また水面に浮き上がり紛失することがない、更に蓋９の抜き差しの調節でカメラ本体１を所望の深さで位置付けができるものである。
【００１９】
又前記注入口８は丁度カメラ本体１の裏面側に形成するので蓋９を抜き差しするのに邪魔にならず、見た目もよいものである。
【産業上の利用可能性】
【００２０】
本発明のカメラフロートジャケットは最近の耐水耐圧機能で水中以外に使用するカメラを水中で用いる場合に有効で、特に浮力のついたフロートジャケットの装着で水中での紛失等することがなく、また所望の深度でカメラ本体を静止できる簡単な構造で実現したものでダイバーに歓迎されるものである。
【図面の簡単な説明】
【００２１】
【図１】本発明の実施例を説明するためのカメラ本体の概略斜視図である。
【図２】本実施例に係るフロートジャケットの概略斜視図である。
【図３】本実施例に係る図１のＡ−Ａ線断面図である。
【図４】本実施例に係わる図２のフロートジャケットを図１のカメラ本体に被せた状態の斜視図である。
【図５】従来のカメラジャケットの斜視図である。
【符号の説明】
【００２２】
１    カメラ本体
２    フロートジャケット
３    レンズ部
４    発光部
５    把持部
６    ファスナー
７    浮き部
８    注入口
９    蓋
【図１】
2009229835.tif 000003
【図２】
2009229835.tif 000004
【図３】
2009229835.tif 000005
【図４】
2009229835.tif 000006
【図５】
2009229835.tif 000007